(57)【要約】【課題】登録者の利便性を高め、住所録情報の陳腐化を防止すること。【解決手段】住所録構成者に関する住所録情報と該住所録情報を有する登録者に関する登録者情報とを対応付けて登録者情報データベース１４および住所録情報データベース１５に登録し、新規登録者により住所録情報および登録者情報が登録された場合、登録者情報データベース１４を検索対象として、該住所録情報における住所録構成者が登録済みの他の登録者情報に登録者として登録されているかを検索し、新規登録者に対応する住所録情報と検索でヒットした登録者情報との間にリンクを設定し、該住所録情報を更新する。【選択図】        図１
2005107949.tif 000002
【特許請求の範囲】
【請求項１】
コンピュータに、
住所録構成者に関する住所録情報と該住所録情報を有する登録者に関する登録者情報とを対応付けてデータベースに登録する登録工程と、
新規登録者により住所録情報および登録者情報が登録された場合、前記データベースを検索対象として、該住所録情報における住所録構成者が登録済みの他の登録者情報に登録者として登録されているかを検索する検索工程と、
前記新規登録者に対応する前記住所録情報と前記検索でヒットした登録者情報との間にリンクを設定し、該住所録情報を更新するリンク設定更新工程と、
を実行させるための住所録管理プログラム。
【請求項２】
コンピュータに、
住所録構成者に関する住所録情報と該住所録情報を有する登録者に関する登録者情報とを対応付けてデータベースに登録する登録工程と、
新規登録者により住所録情報および登録者情報が登録された場合、前記データベースを検索対象として、該新規登録者が登録済みの他の住所録情報における住所録構成者として登録されているかを検索する検索工程と、
前記新規登録者に対応する登録者情報と前記検索でヒットした住所録情報との間にリンクを設定し、該住所録情報を更新するリンク設定更新工程と、
を実行させるための住所録管理プログラム。
【請求項３】
前記データベースは、別設されたデータベース装置に設けられていることを特徴とする請求項１または２に記載の住所録管理プログラム。
【請求項４】
前記データベースは、別設された複数のデータベース装置にそれぞれ設けられていることを特徴とする１または２に記載の住所録管理プログラム。
【請求項５】
前記コンピュータに、登録者からの要求に従って、該登録者に対応する住所録情報およびリンク先の登録者情報に基づいて、住所録一覧を提示する住所録一覧提示工程を実行させることを特徴とする請求項１〜４のいずれか一つに記載の住所録管理プログラム。
【請求項６】
前記住所録一覧提示工程では、前記住所録一覧において前記リンクが設定されている情報を識別表示することを特徴とする請求項５に記載の住所録管理プログラム。
【請求項７】
前記コンピュータに、登録者からの要求に従って、該登録者に対応する登録者情報を更新する更新工程を実行させることを特徴とする請求項１〜６のいずれか一つに記載の住所録管理プログラム。
【請求項８】
前記コンピュータに、登録者からの要求に従って、該登録者に対応する住所録情報に新規情報を追加する住所録情報追加工程を実行させ、前記検索工程では、前記新規情報における住所録構成者が登録済みの他の登録者情報に登録者として登録されているかを検索し、前記リンク設定更新工程では、前記新規情報が追加された前記住所録情報と前記検索でヒットした登録者情報との間にリンクを設定し、該住所録情報を更新することを特徴とする請求項１〜７のいずれか一つに記載の住所録管理プログラム。
【請求項９】
前記コンピュータに、前記リンクの当事者に対してリンクの事前承認を得る事前承認工程を実行させることを特徴とする請求項１〜８のいずれか一つに記載の住所録管理プログラム。
【請求項１０】
住所録構成者に関する住所録情報と該住所録情報を有する登録者に関する登録者情報とを対応付けてデータベースに登録する登録工程と、
新規登録者により住所録情報および登録者情報が登録された場合、前記データベースを検索対象として、該住所録情報における住所録構成者が登録済みの他の登録者情報に登録者として登録されているかを検索する検索工程と、
前記新規登録者に対応する前記住所録情報と前記検索でヒットした登録者情報との間にリンクを設定し、該住所録情報を更新するリンク設定更新工程と、
を含むことを特徴とする住所録管理方法。
【請求項１１】
住所録構成者に関する住所録情報と該住所録情報を有する登録者に関する登録者情報とを対応付けてデータベースに登録する登録工程と、
新規登録者により住所録情報および登録者情報が登録された場合、前記データベースを検索対象として、該新規登録者が登録済みの他の住所録情報における住所録構成者として登録されているかを検索する検索工程と、
前記新規登録者に対応する登録者情報と前記検索でヒットした住所録情報との間にリンクを設定し、該住所録情報を更新するリンク設定更新工程と、
を含むことを特徴とする住所録管理方法。
【請求項１２】
前記データベースは、別設されたデータベース装置に設けられていることを特徴とする請求項１０または１１に記載の住所録管理方法。
【請求項１３】
前記データベースは、別設された複数のデータベース装置にそれぞれ設けられていることを特徴とする１０または１１に記載の住所録管理方法。
【請求項１４】
登録者からの要求に従って、該登録者に対応する住所録情報およびリンク先の登録者情報に基づいて、住所録一覧を提示する住所録一覧提示工程を含むことを特徴とする請求項１０〜１３のいずれか一つに記載の住所録管理方法。
【請求項１５】
前記住所録一覧提示工程では、前記住所録一覧において前記リンクが設定されている情報を識別表示することを特徴とする請求項１４に記載の住所録管理方法。
【請求項１６】
登録者からの要求に従って、該登録者に対応する登録者情報を更新する更新工程を含むことを特徴とする請求項１０〜１５のいずれか一つに記載の住所録管理方法。
【請求項１７】
登録者からの要求に従って、該登録者に対応する住所録情報に新規情報を追加する住所録情報追加工程を含み、前記検索工程では、前記新規情報における住所録構成者が登録済みの他の登録者情報に登録者として登録されているかを検索し、前記リンク設定更新工程では、前記新規情報が追加された前記住所録情報と前記検索でヒットした登録者情報との間にリンクを設定し、該住所録情報を更新することを特徴とする請求項１０〜１６のいずれか一つに記載の住所録管理方法。
【請求項１８】
前記リンクの当事者に対してリンクの事前承認を得る事前承認工程を含むことを特徴とする請求項１０〜１７のいずれか一つに記載の住所録管理方法。
【請求項１９】
住所録構成者に関する住所録情報と該住所録情報を有する登録者に関する登録者情報とを対応付けてデータベースに登録する登録手段と、
新規登録者により住所録情報および登録者情報が登録された場合、前記データベースを検索対象として、該住所録情報における住所録構成者が登録済みの他の登録者情報に登録者として登録されているかを検索する検索手段と、
前記新規登録者に対応する前記住所録情報と前記検索でヒットした登録者情報との間にリンクを設定し、該住所録情報を更新するリンク設定更新手段と、
を備えたことを特徴とする住所録管理装置。
【請求項２０】
住所録構成者に関する住所録情報と該住所録情報を有する登録者に関する登録者情報とを対応付けてデータベースに登録する登録手段と、
新規登録者により住所録情報および登録者情報が登録された場合、前記データベースを検索対象として、該新規登録者が登録済みの他の住所録情報における住所録構成者として登録されているかを検索する検索手段と、
前記新規登録者に対応する登録者情報と前記検索でヒットした住所録情報との間にリンクを設定し、該住所録情報を更新するリンク設定更新手段と、
を備えたことを特徴とする住所録管理装置。
【請求項２１】
前記データベースは、別設されたデータベース装置に設けられていることを特徴とする請求項１９または２０に記載の住所録管理装置。
【請求項２２】
前記データベースは、別設された複数のデータベース装置にそれぞれ設けられていることを特徴とする１９または２０に記載の住所録管理装置。
【請求項２３】
登録者からの要求に従って、該登録者に対応する住所録情報およびリンク先の登録者情報に基づいて、住所録一覧を提示する住所録一覧提示手段を備えたことを特徴とする請求項１９〜２２のいずれか一つに記載の住所録管理装置。
【請求項２４】
前記住所録一覧提示手段は、前記住所録一覧において前記リンクが設定されている情報を識別表示することを特徴とする請求項２３に記載の住所録管理装置。
【請求項２５】
登録者からの要求に従って、該登録者に対応する登録者情報を更新する更新手段を備えたことを特徴とする請求項１９〜２４のいずれか一つに記載の住所録管理装置。
【請求項２６】
登録者からの要求に従って、該登録者に対応する住所録情報に新規情報を追加する住所録情報追加手段を備え、前記検索手段は、前記新規情報における住所録構成者が登録済みの他の登録者情報に登録者として登録されているかを検索し、前記リンク設定更新手段は、前記新規情報が追加された前記住所録情報と前記検索でヒットした登録者情報との間にリンクを設定し、該住所録情報を更新することを特徴とする請求項１９〜２５のいずれか一つに記載の住所録管理装置。
【請求項２７】
前記リンクの当事者に対してリンクの事前承認を得る事前承認手段を備えたことを特徴とする請求項１９〜２６のいずれか一つに記載の住所録管理装置。
【発明の詳細な説明】
【技術分野】
【０００１】
本発明は、複数の登録者が有する住所録を一元的に管理するための住所録管理プログラム、住所録管理方法および住所録管理装置に関するものであり、特に、登録者の利便性を高め、住所録情報の陳腐化を防止することができる住所録管理プログラム、住所録管理方法および住所録管理装置に関するものである。
【背景技術】
【０００２】
従来より、電子化された住所録は、パーソナルコンピュータやインターネット上のサーバ等で管理されている。住所録には、複数の氏名、住所、年齢、生年月日、電子メールアドレス、電話番号、勤務先等の個人情報が含まれている。当該住所録の登録者（所有者）は、住所録の変更、追加、削除等に関する作業を適宜行い、住所録の更新に努めている。
【０００３】
【特許文献１】特開平１０−２６９２４７号公報
【発明の開示】
【発明が解決しようとする課題】
【０００４】
ところで、従来においては、登録者が自発的に住所録の更新を行っているが、この更新作業が非常に煩わしく、登録者の利便性が低いという問題があった。
【０００５】
さらに、従来においては、個人情報の変更等の事実を知っているが、面倒さによる更新の先延ばしや更新し忘れするという状況や、音信不通、連絡不足により個人情報の変更等の事実に気づかず更新できない状況が多く見受けられ、結局、住所録情報の陳腐化を招きやすいという問題があった。
【０００６】
本発明は、上記に鑑みてなされたものであって、登録者の利便性を高め、住所録情報の陳腐化を防止することができる住所録管理プログラム、住所録管理方法および住所録管理装置を提供することを目的とする。
【課題を解決するための手段】
【０００７】
上述した課題を解決し、目的を達成するために、本発明は、コンピュータに、住所録構成者に関する住所録情報と該住所録情報を有する登録者に関する登録者情報とを対応付けてデータベースに登録する登録工程と、新規登録者により住所録情報および登録者情報が登録された場合、前記データベースを検索対象として、該住所録情報における住所録構成者が登録済みの他の登録者情報に登録者として登録されているかを検索する検索工程と、前記新規登録者に対応する前記住所録情報と前記検索でヒットした登録者情報との間にリンクを設定し、該住所録情報を更新するリンク設定更新工程と、を実行させるための住所録管理プログラムである。
【０００８】
この発明によれば、新規登録者により住所録情報および登録者情報が登録された場合、データベースを検索対象として、該住所録情報における住所録構成者が登録済みの他の登録者情報に登録者として登録されているかを検索し、新規登録者に対応する住所録情報と検索でヒットした登録者情報との間にリンクを設定し、該住所録情報を更新することとしたので、住所録情報がリンクを介して自動更新されるため、登録者の利便性を高め、住所録情報の陳腐化を防止することができる。
【０００９】
また、本発明は、コンピュータに、住所録構成者に関する住所録情報と該住所録情報を有する登録者に関する登録者情報とを対応付けてデータベースに登録する登録工程と、新規登録者により住所録情報および登録者情報が登録された場合、前記データベースを検索対象として、該新規登録者が登録済みの他の住所録情報における住所録構成者として登録されているかを検索する検索工程と、前記新規登録者に対応する登録者情報と前記検索でヒットした住所録情報との間にリンクを設定し、該住所録情報を更新するリンク設定更新工程と、を実行させるための住所録管理プログラムである。
【００１０】
この発明によれば、新規登録者により住所録情報および登録者情報が登録された場合、データベースを検索対象として、該新規登録者が登録済みの他の住所録情報における住所録構成者として登録されているかを検索し、新規登録者に対応する登録者情報と検索でヒットした住所録情報との間にリンクを設定し、該住所録情報を更新することとしたので、住所録情報がリンクを介して自動更新されるため、登録者の利便性を高め、住所録情報の陳腐化を防止することができる。
【００１１】
また、本発明は、上記発明において、前記データベースは、別設されたデータベース装置に設けられていることを特徴とする。
【００１２】
この発明によれば、データベースを、別設されたデータベース装置に設けることとしたので、既存のデータベース装置を有効活用した上で、住所録情報の更新に関して登録者の利便性を高め、住所録情報の陳腐化を防止することができる。
【００１３】
また、本発明は、上記発明において、前記データベースは、別設された複数のデータベース装置にそれぞれ設けられていることを特徴とする。
【００１４】
この発明によれば、データベースを、別設された複数のデータベース装置にそれぞれ設けることとしたので、既存の複数のデータベース装置を有効活用した上で、住所録情報の更新に関して登録者の利便性を高め、住所録情報の陳腐化を防止することができる。
【００１５】
また、本発明は、上記発明において、前記コンピュータに、登録者からの要求に従って、該登録者に対応する住所録情報およびリンク先の登録者情報に基づいて、住所録一覧を提示する住所録一覧提示工程を実行させることを特徴とする。
【００１６】
この発明によれば、登録者からの要求に従って、該登録者に対応する住所録情報およびリンク先の登録者情報に基づいて、住所録一覧を提示することとしたので、リンクを介して自動更新された最新の住所録情報を登録者に提示することができる。
【００１７】
また、本発明は、上記発明において、前記住所録一覧提示工程では、前記住所録一覧において前記リンクが設定されている情報を識別表示することを特徴とする。
【００１８】
この発明によれば、住所録一覧においてリンクが設定されている情報を識別表示することとしたので、登録者にリンク（自動更新）の有無を報知することができる。
【００１９】
また、本発明は、上記発明において、前記コンピュータに、登録者からの要求に従って、該登録者に対応する登録者情報を更新する更新工程を実行させることを特徴とする。
【００２０】
この発明によれば、登録者からの要求に従って、該登録者に対応する登録者情報を更新することとしたので、該登録者情報とリンクされている住所録情報が自動更新され、登録者の利便性を高め、住所録情報の陳腐化を防止することができる。
【００２１】
また、本発明は、上記発明において、前記コンピュータに、登録者からの要求に従って、該登録者に対応する住所録情報に新規情報を追加する住所録情報追加工程を実行させ、前記検索工程では、前記新規情報における住所録構成者が登録済みの他の登録者情報に登録者として登録されているかを検索し、前記リンク設定更新工程では、前記新規情報が追加された前記住所録情報と前記検索でヒットした登録者情報との間にリンクを設定し、該住所録情報を更新することを特徴とする。
【００２２】
この発明によれば、登録者からの要求に従って、該登録者に対応する住所録情報に新規情報を追加し、新規情報における住所録構成者が登録済みの他の登録者情報に登録者として登録されているかを検索し、新規情報が追加された住所録情報と検索でヒットした登録者情報との間にリンクを設定し、該住所録情報を更新することとしたので、新規情報が追加された住所録情報がリンクを介して自動更新されるため、登録者の利便性を高め、住所録情報の陳腐化を防止することができる。
【００２３】
また、本発明は、上記発明において、前記コンピュータに、前記リンクの当事者に対してリンクの事前承認を得る事前承認工程を実行させることを特徴とする。
【００２４】
この発明によれば、リンクの当事者に対してリンクの事前承認を得ることとしたので、無断リンク等によるトラブルを防止することができ、登録者へのサービスの質を向上させることができる。
【００２５】
また、本発明は、住所録構成者に関する住所録情報と該住所録情報を有する登録者に関する登録者情報とを対応付けてデータベースに登録する登録工程と、新規登録者により住所録情報および登録者情報が登録された場合、前記データベースを検索対象として、該住所録情報における住所録構成者が登録済みの他の登録者情報に登録者として登録されているかを検索する検索工程と、前記新規登録者に対応する前記住所録情報と前記検索でヒットした登録者情報との間にリンクを設定し、該住所録情報を更新するリンク設定更新工程と、を含むことを特徴とする。
【００２６】
この発明によれば、新規登録者により住所録情報および登録者情報が登録された場合、データベースを検索対象として、該住所録情報における住所録構成者が登録済みの他の登録者情報に登録者として登録されているかを検索し、新規登録者に対応する住所録情報と検索でヒットした登録者情報との間にリンクを設定し、該住所録情報を更新することとしたので、住所録情報がリンクを介して自動更新されるため、登録者の利便性を高め、住所録情報の陳腐化を防止することができる。
【００２７】
また、本発明は、住所録構成者に関する住所録情報と該住所録情報を有する登録者に関する登録者情報とを対応付けてデータベースに登録する登録工程と、新規登録者により住所録情報および登録者情報が登録された場合、前記データベースを検索対象として、該新規登録者が登録済みの他の住所録情報における住所録構成者として登録されているかを検索する検索工程と、前記新規登録者に対応する登録者情報と前記検索でヒットした住所録情報との間にリンクを設定し、該住所録情報を更新するリンク設定更新工程と、を含むことを特徴とする。
【００２８】
この発明によれば、新規登録者により住所録情報および登録者情報が登録された場合、データベースを検索対象として、該新規登録者が登録済みの他の住所録情報における住所録構成者として登録されているかを検索し、新規登録者に対応する登録者情報と検索でヒットした住所録情報との間にリンクを設定し、該住所録情報を更新することとしたので、住所録情報がリンクを介して自動更新されるため、登録者の利便性を高め、住所録情報の陳腐化を防止することができる。
【００２９】
また、本発明は、上記発明において、前記データベースは、別設されたデータベース装置に設けられていることを特徴とする。
【００３０】
この発明によれば、データベースを、別設されたデータベース装置に設けることとしたので、既存のデータベース装置を有効活用した上で、住所録情報の更新に関して登録者の利便性を高め、住所録情報の陳腐化を防止することができる。
【００３１】
また、本発明は、上記発明において、前記データベースは、別設された複数のデータベース装置にそれぞれ設けられていることを特徴とする。
【００３２】
この発明によれば、データベースを、別設された複数のデータベース装置にそれぞれ設けることとしたので、既存の複数のデータベース装置を有効活用した上で、住所録情報の更新に関して登録者の利便性を高め、住所録情報の陳腐化を防止することができる。
【００３３】
また、本発明は、上記発明において、登録者からの要求に従って、該登録者に対応する住所録情報およびリンク先の登録者情報に基づいて、住所録一覧を提示する住所録一覧提示工程を含むことを特徴とする。
【００３４】
この発明によれば、登録者からの要求に従って、該登録者に対応する住所録情報およびリンク先の登録者情報に基づいて、住所録一覧を提示することとしたので、リンクを介して自動更新された最新の住所録情報を登録者に提示することができる。
【００３５】
また、本発明は、上記発明において、前記住所録一覧提示工程では、前記住所録一覧において前記リンクが設定されている情報を識別表示することを特徴とする。
【００３６】
この発明によれば、住所録一覧においてリンクが設定されている情報を識別表示することとしたので、登録者にリンク（自動更新）の有無を報知することができる。
【００３７】
また、本発明は、上記発明において、登録者からの要求に従って、該登録者に対応する登録者情報を更新する更新工程を含むことを特徴とする。
【００３８】
この発明によれば、登録者からの要求に従って、該登録者に対応する登録者情報を更新することとしたので、該登録者情報とリンクされている住所録情報が自動更新され、登録者の利便性を高め、住所録情報の陳腐化を防止することができる。
【００３９】
また、本発明は、上記発明において、登録者からの要求に従って、該登録者に対応する住所録情報に新規情報を追加する住所録情報追加工程を含み、前記検索工程では、前記新規情報における住所録構成者が登録済みの他の登録者情報に登録者として登録されているかを検索し、前記リンク設定更新工程では、前記新規情報が追加された前記住所録情報と前記検索でヒットした登録者情報との間にリンクを設定し、該住所録情報を更新することを特徴とする。
【００４０】
この発明によれば、登録者からの要求に従って、該登録者に対応する住所録情報に新規情報を追加し、新規情報における住所録構成者が登録済みの他の登録者情報に登録者として登録されているかを検索し、新規情報が追加された住所録情報と検索でヒットした登録者情報との間にリンクを設定し、該住所録情報を更新することとしたので、新規情報が追加された住所録情報がリンクを介して自動更新されるため、登録者の利便性を高め、住所録情報の陳腐化を防止することができる。
【００４１】
また、本発明は、上記発明において、前記リンクの当事者に対してリンクの事前承認を得る事前承認工程を含むことを特徴とする。
【００４２】
この発明によれば、リンクの当事者に対してリンクの事前承認を得ることとしたので、無断リンク等によるトラブルを防止することができ、登録者へのサービスの質を向上させることができる。
【００４３】
また、本発明は、住所録構成者に関する住所録情報と該住所録情報を有する登録者に関する登録者情報とを対応付けてデータベースに登録する登録手段と、新規登録者により住所録情報および登録者情報が登録された場合、前記データベースを検索対象として、該住所録情報における住所録構成者が登録済みの他の登録者情報に登録者として登録されているかを検索する検索手段と、前記新規登録者に対応する前記住所録情報と前記検索でヒットした登録者情報との間にリンクを設定し、該住所録情報を更新するリンク設定更新手段と、を備えたことを特徴とする。
【００４４】
この発明によれば、新規登録者により住所録情報および登録者情報が登録された場合、データベースを検索対象として、該住所録情報における住所録構成者が登録済みの他の登録者情報に登録者として登録されているかを検索し、新規登録者に対応する住所録情報と検索でヒットした登録者情報との間にリンクを設定し、該住所録情報を更新することとしたので、住所録情報がリンクを介して自動更新されるため、登録者の利便性を高め、住所録情報の陳腐化を防止することができる。
【００４５】
また、本発明は、住所録構成者に関する住所録情報と該住所録情報を有する登録者に関する登録者情報とを対応付けてデータベースに登録する登録手段と、新規登録者により住所録情報および登録者情報が登録された場合、前記データベースを検索対象として、該新規登録者が登録済みの他の住所録情報における住所録構成者として登録されているかを検索する検索手段と、前記新規登録者に対応する登録者情報と前記検索でヒットした住所録情報との間にリンクを設定し、該住所録情報を更新するリンク設定更新手段と、を備えたことを特徴とする。
【００４６】
この発明によれば、新規登録者により住所録情報および登録者情報が登録された場合、データベースを検索対象として、該新規登録者が登録済みの他の住所録情報における住所録構成者として登録されているかを検索し、新規登録者に対応する登録者情報と検索でヒットした住所録情報との間にリンクを設定し、該住所録情報を更新することとしたので、住所録情報がリンクを介して自動更新されるため、登録者の利便性を高め、住所録情報の陳腐化を防止することができる。
【００４７】
また、本発明は、上記発明において、前記データベースは、別設されたデータベース装置に設けられていることを特徴とする。
【００４８】
この発明によれば、データベースを、別設されたデータベース装置に設けることとしたので、既存のデータベース装置を有効活用した上で、住所録情報の更新に関して登録者の利便性を高め、住所録情報の陳腐化を防止することができる。
【００４９】
また、本発明は、上記発明において、前記データベースは、別設された複数のデータベース装置にそれぞれ設けられていることを特徴とする。
【００５０】
この発明によれば、データベースを、別設された複数のデータベース装置にそれぞれ設けることとしたので、既存の複数のデータベース装置を有効活用した上で、住所録情報の更新に関して登録者の利便性を高め、住所録情報の陳腐化を防止することができる。
【００５１】
また、本発明は、上記発明において、登録者からの要求に従って、該登録者に対応する住所録情報およびリンク先の登録者情報に基づいて、住所録一覧を提示する住所録一覧提示手段を備えたことを特徴とする。
【００５２】
この発明によれば、登録者からの要求に従って、該登録者に対応する住所録情報およびリンク先の登録者情報に基づいて、住所録一覧を提示することとしたので、リンクを介して自動更新された最新の住所録情報を登録者に提示することができる。
【００５３】
また、本発明は、上記発明において、前記住所録一覧提示手段は、前記住所録一覧において前記リンクが設定されている情報を識別表示することを特徴とする。
【００５４】
この発明によれば、住所録一覧においてリンクが設定されている情報を識別表示することとしたので、登録者にリンク（自動更新）の有無を報知することができる。
【００５５】
また、本発明は、上記発明において、登録者からの要求に従って、該登録者に対応する登録者情報を更新する更新手段を備えたことを特徴とする。
【００５６】
この発明によれば、登録者からの要求に従って、該登録者に対応する登録者情報を更新することとしたので、該登録者情報とリンクされている住所録情報が自動更新され、登録者の利便性を高め、住所録情報の陳腐化を防止することができる。
【００５７】
また、本発明は、上記発明において、登録者からの要求に従って、該登録者に対応する住所録情報に新規情報を追加する住所録情報追加手段を備え、前記検索手段は、前記新規情報における住所録構成者が登録済みの他の登録者情報に登録者として登録されているかを検索し、前記リンク設定更新手段は、前記新規情報が追加された前記住所録情報と前記検索でヒットした登録者情報との間にリンクを設定し、該住所録情報を更新することを特徴とする。
【００５８】
この発明によれば、登録者からの要求に従って、該登録者に対応する住所録情報に新規情報を追加し、新規情報における住所録構成者が登録済みの他の登録者情報に登録者として登録されているかを検索し、新規情報が追加された住所録情報と検索でヒットした登録者情報との間にリンクを設定し、該住所録情報を更新することとしたので、新規情報が追加された住所録情報がリンクを介して自動更新されるため、登録者の利便性を高め、住所録情報の陳腐化を防止することができる。
【００５９】
また、本発明は、上記発明において、前記リンクの当事者に対してリンクの事前承認を得る事前承認手段を備えたことを特徴とする。
【００６０】
この発明によれば、リンクの当事者に対してリンクの事前承認を得ることとしたので、無断リンク等によるトラブルを防止することができ、登録者へのサービスの質を向上させることができる。
【発明の効果】
【００６１】
以上説明したように、本発明によれば、新規登録者により住所録情報および登録者情報が登録された場合、データベースを検索対象として、該住所録情報における住所録構成者が登録済みの他の登録者情報に登録者として登録されているかを検索し、新規登録者に対応する住所録情報と検索でヒットした登録者情報との間にリンクを設定し、該住所録情報を更新することとしたので、住所録情報がリンクを介して自動更新されるため、登録者の利便性を高め、住所録情報の陳腐化を防止することができるという効果を奏する。
【００６２】
また、本発明によれば、新規登録者により住所録情報および登録者情報が登録された場合、データベースを検索対象として、該新規登録者が登録済みの他の住所録情報における住所録構成者として登録されているかを検索し、新規登録者に対応する登録者情報と検索でヒットした住所録情報との間にリンクを設定し、該住所録情報を更新することとしたので、住所録情報がリンクを介して自動更新されるため、登録者の利便性を高め、住所録情報の陳腐化を防止することができるという効果を奏する。
【００６３】
また、本発明によれば、データベースを、別設されたデータベース装置に設けることとしたので、既存のデータベース装置を有効活用した上で、住所録情報の更新に関して登録者の利便性を高め、住所録情報の陳腐化を防止することができるという効果を奏する。
【００６４】
また、本発明によれば、データベースを、別設された複数のデータベース装置にそれぞれ設けることとしたので、既存の複数のデータベース装置を有効活用した上で、住所録情報の更新に関して登録者の利便性を高め、住所録情報の陳腐化を防止することができるという効果を奏する。
【００６５】
また、本発明によれば、登録者からの要求に従って、該登録者に対応する住所録情報およびリンク先の登録者情報に基づいて、住所録一覧を提示することとしたので、リンクを介して自動更新された最新の住所録情報を登録者に提示することができるという効果を奏する。
【００６６】
また、本発明によれば、住所録一覧においてリンクが設定されている情報を識別表示することとしたので、登録者にリンク（自動更新）の有無を報知することができるという効果を奏する。
【００６７】
また、本発明によれば、登録者からの要求に従って、該登録者に対応する登録者情報を更新することとしたので、該登録者情報とリンクされている住所録情報が自動更新され、登録者の利便性を高め、住所録情報の陳腐化を防止することができるという効果を奏する。
【００６８】
また、本発明によれば、登録者からの要求に従って、該登録者に対応する住所録情報に新規情報を追加し、新規情報における住所録構成者が登録済みの他の登録者情報に登録者として登録されているかを検索し、新規情報が追加された住所録情報と検索でヒットした登録者情報との間にリンクを設定し、該住所録情報を更新することとしたので、新規情報が追加された住所録情報がリンクを介して自動更新されるため、登録者の利便性を高め、住所録情報の陳腐化を防止することができるという効果を奏する。
【００６９】
また、本発明によれば、リンクの当事者に対してリンクの事前承認を得ることとしたので、無断リンク等によるトラブルを防止することができ、登録者へのサービスの質を向上させることができるという効果を奏する。
【発明を実施するための最良の形態】
【００７０】
以下に、本発明にかかる住所録管理プログラム、住所録管理方法および住所録管理装置の一実施例を図面に基づいて詳細に説明する。なお、この一実施例によりこの発明が限定されるものではない。
【実施例】
【００７１】
図１は、本発明にかかる一実施例の構成を示すブロック図である。同図には、複数の登録者が有する各住所録をインターネット上で管理するための住所録管理システムが図示されている。この住所録管理システムは、住所録管理装置１０、インターネット２０および登録者端末３０1〜３０nから構成されている。
【００７２】
住所録管理装置１０は、登録者端末３０1〜３０nに対応する複数ｎの登録者がそれぞれ有する住所録を管理する機能、住所録を自動更新する機能、電子メールを送受信する機能等を備えている。この住所録管理装置１０は、インターネット２０を介して、登録者端末３０1〜３０nに接続されている。
【００７３】
住所録管理装置１０において、制御部１１は、装置各部を制御する。この制御部１１の動作の詳細については、後述する。記憶部１２は、制御部１１で用いられる各種情報、コンピュータプログラム等を記憶する。通信部１３は、所定の通信プロトコルに従って、通信を制御する。
【００７４】
登録者情報データベース１４は、複数ｎの登録者に関する登録者情報を格納するデータベースである。具体的には、登録者情報データベース１４は、図２に示したように、「登録者ＩＤ」、「氏名」、「ニックネーム」、「住所」、「年齢」、「生年月日」、「電子メールアドレス」、「電話番号」、「勤務先」、「リンクアドレス」等からなる登録者情報を格納している。
【００７５】
「登録者ＩＤ」は、登録者を識別するための識別子である。「氏名」は、登録者の氏名に関する情報である。「ニックネーム」は、インターネット２０における登録者のニックネームに関する情報である。「住所」は、登録者の住所に関する情報である。「年齢」は、登録者の年齢に関する情報である。「生年月日」は、登録者の生年月日に関する情報である。
【００７６】
「電子メールアドレス」は、登録者宛に電子メールを送付する際の電子メールアドレスに関する情報である。「電話番号」は、登録者の電話番号に関する情報である。「勤務先」は、登録者の勤務先に関する情報である。「リンクアドレス」は、各登録者情報のレコードと後述する住所録情報とリンクを設定する場合に、該登録者情報を一意に特定するためのアドレスである。すなわち、「リンクアドレス」は、各登録者情報のレコードに付与されたアドレスである。
【００７７】
図１に戻り、住所録情報データベース１５は、各登録者が有する住所録情報を格納するデータベースである。具体的には、住所録情報データベース１５は、図３に示したように、住所録情報１５1〜１５3（なお、住所録情報１５4は未登録）を格納している。住所録情報１５1は、「登録者ＩＤ」および「氏名」（図２参照）に対応付けられており、「氏名」、「ニックネーム」、「住所」、「年齢」、「生年月日」、「電子メールアドレス」、「電話番号」、「勤務先」、「リンク先アドレス」等から構成されている。
【００７８】
「氏名」は、住所録を構成し、登録者の知人（以下、住所録構成者という）の氏名に関する情報である。「ニックネーム」は、インターネット２０における住所録構成者のニックネームに関する情報である。「住所」は、住所録構成者の住所に関する情報である。「年齢」は、住所録構成者の年齢に関する情報である。「生年月日」は、住所録構成者の生年月日に関する情報である。
【００７９】
「電子メールアドレス」は、住所録構成者宛に電子メールを送付する際の電子メールアドレスに関する情報である。「電話番号」は、住所録構成者の電話番号に関する情報である。「勤務先」は、住所録構成者の勤務先に関する情報である。「リンク先アドレス」は、住所録情報のレコードと登録者情報（図２参照）のレコードとの間にリンクを設定する場合に、住所録情報からみてリンク先である登録者情報のリンクアドレス（図２参照）を表す情報である。
【００８０】
図１に戻り、登録者端末３０1〜３０nは、住所録（登録者情報および住所録情報の総称）を住所録管理装置１０に登録している登録者により操作されるコンピュータ端末であり、新規登録、住所録の更新等に用いられる。
【００８１】
つぎに、一実施例の動作原理について、図４および図５を参照して説明する。図４において、（１）では、登録者情報データベース１４に「大島太郎」に対応する登録者情報が新規登録されるとともに、住所録情報データベース１５に「大島太郎」に対応する住所録情報１５4が新規登録される。
【００８２】
ここで、以下では、登録者情報データベース１４における各登録者情報は、各登録者により随時更新されるものとし、最新の情報であるものと仮定する。
【００８３】
（２）では、住所録情報１５4における各住所録構成者（「遠藤一太郎」、「橋本五郎」および「塚本一郎」）が、登録者情報データベース１４の登録者として登録されているかが検索される。この場合、「遠藤一太郎」、「橋本五郎」および「塚本一郎」のうち、「橋本五郎」および「塚本一郎」が登録されている。
【００８４】
（３）では、「大島太郎」（本人）に対して、住所録情報１５1における「橋本五郎」および「塚本一郎」と、登録者情報データベース１４における「橋本五郎」および「塚本一郎」との間にそれぞれリンクを設定することの可否がメールで問い合わされる。
【００８５】
（４）では、返信メールに基づいて、リンクの可否が判定される。ここで、「大島太郎」より、リンクの許可が得られた場合には、「橋本五郎」に対して、住所録情報１５4（「大島太郎」）における「橋本五郎」と、登録者情報データベース１４における「橋本五郎」との間にリンクを設定することの可否がメールで問い合わされる。
【００８６】
同様にして、「塚本一郎」に対して、住所録情報１５4（「大島太郎」）における「塚本一郎」と、登録者情報データベース１４における「塚本一郎」との間にリンクを設定することの可否がメールで問い合わされる。
【００８７】
そして、「橋本五郎」より、リンクの許可が得られた場合、（５）では、住所録情報１５4（「大島太郎」）における「橋本五郎」と、登録者情報データベース１４における「橋本五郎」との間にリンクが設定される。
【００８８】
同様にして、「塚本一郎」より、リンクの許可が得られた場合には、住所録情報１５4（「大島太郎」）における「塚本一郎」と、登録者情報データベース１４における「塚本一郎」との間にリンクが設定される。
【００８９】
このように、一実施例では、住所録情報と登録者情報（最新情報）との間にリンクを設定することにより、住所録の自動更新を実現している。図５には、住所録情報１５5および１５6がさらに新規登録された場合のリンク状態が図示されている。
【００９０】
つぎに、図６〜図１５を参照しつつ、一実施例の動作について説明する。図６は、一実施例における新規登録処理を説明する図である。新規登録処理は、住所録（登録者情報および住所録情報）を新規に登録するための処理である。
【００９１】
図６に示したステップＳＡ１では、例えば、登録者端末３０nは、新規登録者（例えば、「大島太郎」）の操作に従って、住所録管理装置１０に対して、新規登録要求を出すとともに、登録者情報（登録者ＩＤ＝００００４に対応）および住所録情報１５4（図３参照）を送信する。これらの登録者情報（登録者ＩＤ＝００００４に対応）および住所録情報１５4（図３参照）は、図示しない新規登録画面より設定された情報である。
【００９２】
ステップＳＡ２では、住所録管理装置１０の制御部１１は、登録者端末３０nからの登録者情報（登録者ＩＤ＝００００４に対応）を登録者情報データベース１４（図２参照）に登録するとともに、住所録情報１５4を住所録情報データベース１５（図３参照）に登録する。
【００９３】
ステップＳＡ３では、制御部１１は、検索処理を実行する。すなわち、制御部１１は、住所録情報１５4における住所録構成者（「遠藤一太郎」、「橋本五郎」および「塚本一郎」）を検索キーとして、登録者情報データベース１４（図２参照）を検索する。
【００９４】
なお、一実施例においては、検索キーとして、例えば、公開が許可された他の情報（例えば、「ニックネーム」）や、複数の情報（例えば、「氏名」および「ニックネーム」）等を用いてもよい。
【００９５】
ステップＳＡ４では、制御部１１は、ステップＳＡ３で検索ヒットしたか否かを判断する。この場合、登録者情報データベース１４における「橋本五郎」および「塚本一郎」が検索ヒットし、制御部１１は、ステップＳＡ４の判断結果を「Ｙｅｓ」とする。なお、ステップＳＡ４の判断結果が「Ｎｏ」である場合、制御部１１は、リンクを設定することなく、新規登録処理を終了する。
【００９６】
ステップＳＡ５では、制御部１１は、図９に示した登録者問合せメール４０を作成する。この登録者問合せメール４０は、新規登録者（「大島太郎」）に対して、住所録情報１５4における「橋本五郎」および「塚本一郎」（図３および図４参照）と、登録者情報データベース１４における「橋本五郎」および「塚本一郎」（図２および図４参照）との間にそれぞれリンクを設定することの可否を問合せるための電子メールである。
【００９７】
ステップＳＡ６では、制御部１１は、登録者端末３０nへ登録者問合せメール４０（図９参照）を送信する。ステップＳＡ７では、登録者端末３０nは、新規登録者（「大島太郎」）の操作に従って、図１０に示した登録者返信メール４１を作成する。この登録者返信メール４１には、当該リンクを許可する旨の内容が記載されている。
【００９８】
ステップＳＡ８では、登録者端末３０nは、登録者返信メール４１を住所録管理装置１０へ送信する。ステップＳＡ９では、住所録管理装置１０の制御部１１は、登録者返信メール４１の内容を解析し、新規登録者（「大島太郎」）が当該リンクを許可したか否かを判断し、この場合、判断結果を「Ｙｅｓ」とする。なお、ステップＳＡ９の判断結果が「Ｎｏ」である場合、制御部１１は、新規登録処理を終了する。
【００９９】
ステップＳＡ１０では、制御部１１は、図１１および図１２に示したリンク先問合せメール４２およびリンク先問合せメール４３を作成する。リンク先問合せメール４２は、「橋本五郎」に対して、住所録情報１５4（「大島太郎」）における「橋本五郎」と、登録者情報データベース１４における「橋本五郎」との間にリンクを設定することの可否を問合せるための電子メールである。
【０１００】
一方、リンク先問合せメール４３は、「塚本一郎」に対して、住所録情報１５4（「大島太郎」）における「塚本一郎」と、登録者情報データベース１４における「塚本一郎」との間にリンクを設定することの可否を問合せるための電子メールである。
【０１０１】
ステップＳＡ１１では、制御部１１は、リンク先問合せメール４２（図１１参照を）登録者端末３０2（「橋本五郎」に対応）へ送信するとともに、リンク先問合せメール４３（図１２参照）を登録者端末３０3（「塚本一郎」に対応）へ送信する。
【０１０２】
ステップＳＡ１２では、登録者端末３０2および登録者端末３０3は、図１３および図１４に示したリンク先返信メール４４およびリンク先返信メール４５を作成する。具体的には、登録者端末３０2は、登録者（「橋本五郎」）の操作に従って、図１３に示したリンク先返信メール４４を作成する。このリンク先返信メール４４には、当該リンクを許可する旨の内容が記載されている。
【０１０３】
一方、登録者端末３０3は、登録者（「塚本一郎」）の操作に従って、図１４に示したリンク先返信メール４５を作成する。このリンク先返信メール４５には、当該リンクを許可する旨の内容が記載されている。
【０１０４】
ステップＳＡ１３では、登録者端末３０2および登録者端末３０3は、リンク先返信メール４４（図１３参照）およびリンク先返信メール４５（図１４参照）を住所録管理装置１０へ送信する。ステップＳＡ１４では、住所録管理装置１０の制御部１１は、リンク先返信メール４４およびリンク先返信メール４５を解析し、リンクの許可が得られた場合に、リンク処理を実行する。
【０１０５】
この場合、「橋本五郎」からリンクの許可を得ているため、制御部１１は、図３に示した住所録情報１５4（「大島太郎」）における「橋本五郎」の「リンク先アドレス」に、図２に示した登録者情報データベース１４における「橋本五郎」の「リンクアドレス」（＝ＡＤＲ００００２）を登録する。
【０１０６】
これにより、図４に示したように、住所録情報１５4（「大島太郎」）における「橋本五郎」と、登録者情報データベース１４における「橋本五郎」との間にリンクが設定され、住所録情報１５4（「大島太郎」）における「橋本五郎」の情報が自動更新される。
【０１０７】
一方、「塚本一郎」からもリンクの許可を得ているため、制御部１１は、図３に示した住所録情報１５4（「大島太郎」）における「塚本一郎」の「リンク先アドレス」に、図２に示した登録者情報データベース１４における「塚本一郎」の「リンクアドレス」（＝ＡＤＲ００００３）を登録する。
【０１０８】
これにより、図４に示したように、住所録情報１５4（「大島太郎」）における「塚本一郎」と、登録者情報データベース１４における「塚本一郎」との間にリンクが設定され、住所録情報１５4（「大島太郎」）における「塚本一郎」が自動更新される。
【０１０９】
なお、上述した新規登録処理においては、住所録管理装置１０の制御部１１により、ステップＳＡ３で、登録者情報データベース１４における「大島太郎」（新規登録者）を検索キーとして、住所録情報データベース１５で他の住所録情報１５1〜１５3に住所録構成者として「大島太郎」が登録されているか否かを検索してもよい。
【０１１０】
ここで、検索ヒットした場合には、上述した動作と同様にして、リンクの可否についての問い合わせを行い、許可が得られた場合に、検索ヒットした住所録情報の住所録構成者の情報と、登録者情報データベース１４における「大島太郎」（新規登録者）の情報との間にリンクを設定してもよい。
【０１１１】
図７および図８は、一実施例における更新処理を説明する図である。更新処理は、登録済みの住所録（登録者情報および住所録情報）に対して、登録者情報を更新したり、住所録情報に新しいレコードを追加するための処理である。
【０１１２】
この場合、図３に示したように、住所録情報データベース１５には、住所録情報１５1〜１５4が登録されているものとする。また、登録者情報データベース１４には、登録者ＩＤ００００１〜００００４に対応する情報が登録されているものとする。
【０１１３】
この状態で、図７に示したステップＳＢ１では、例えば、登録者端末３０nは、住所録管理装置１０に対して、更新要求を出すとともに、登録者ＩＤ（＝００００４）を送信する。ステップＳＢ２では、住所録管理装置１０の制御部１１は、住所録情報等を取得する。ステップＳＢ３では、住所録管理装置１０の制御部１１は、図１５に示した住所録一覧画面４６を登録者端末３０nに表示させる。
【０１１４】
具体的には、ステップＳＢ２では、制御部１１は、登録者ＩＤ（＝００００４）をキーとして、住所録情報データベース１５から住所録情報１５4を取得する。つぎに、制御部１１は、住所録情報１５4において、「リンク先アドレス」（この場合、ＡＤＲ００００２およびＡＤＲ００００３）からリンク先の情報を取得する。
【０１１５】
リンク先の情報は、図２に示した登録者情報データベース１４における「橋本五郎」の情報（ＡＤＲ００００２に対応）および「塚本一郎」の情報（ＡＤＲ００００３に対応）である。
【０１１６】
つぎに、ステップＳＢ３では、制御部１１は、住所録情報１５4、登録者情報データベース１４における「橋本五郎」の情報（ＡＤＲ００００２に対応）および登録者情報データベース１４における「塚本一郎」の情報（ＡＤＲ００００３に対応）に基づいて、図１５に示した住所録一覧画面４６を登録者端末３０nに表示させる。
【０１１７】
この住所録一覧画面４６には、住所録情報１５4等に対応する住所録一覧４６ａと、登録者情報を更新する際に押下される登録者更新ボタン４６ｂと、住所録情報１５4にレコードを追加する際に押下される住所録追加ボタン４６ｃとが表示されている。
【０１１８】
ここで、登録者情報データベース１４における「橋本五郎」の情報（ＡＤＲ００００２に対応）は、住所録情報データベース１５における「橋本五郎」の情報に代えて、住所録一覧画面４６の住所録一覧４６ａ（「橋本五郎」）に表示される。
【０１１９】
同様にして、登録者情報データベース１４における「塚本一郎」の情報（ＡＤＲ００００３に対応）は、住所録情報データベース１５における「塚本一郎」の情報に代えて、住所録一覧画面４６の住所録一覧４６ａ（「塚本一郎」）に表示される。
【０１２０】
また、住所録一覧４６ａにおいて、「リンクマーク」は、上述したリンクが設定されていることを表すマークであり、リンクが設定されている「橋本五郎」および「塚本一郎」に対応して「Ｌ」が表示されている。これにより、登録者（「大島太郎」）は、「橋本五郎」および「塚本一郎」の情報が最新の情報であることを認識する。
【０１２１】
なお、一実施例においては、リンクマークに代えて、リンクが設定されている「橋本五郎」および「塚本一郎」のレコードを色分け表示や点滅表示させてもよい。
【０１２２】
図７に戻り、ステップＳＢ４では、登録者端末３０nは、住所録一覧画面４６（図１５参照）の登録者更新ボタン４６ｂが押下されたか否かを判断し、この場合、判断結果を「Ｎｏ」とする。ステップＳＢ８では、登録者端末３０nは、住所録追加ボタン４６ｃが押下されたか否かを判断し、この場合、判断結果を「Ｎｏ」とする。以後、判断結果が「Ｙｅｓ」となるまで、ステップＳＢ４およびステップＳＢ８の判断が繰り返される。
【０１２３】
ここで、登録者（「大島太郎」）の電話番号が変更となり、登録者情報を更新する場合には、登録者更新ボタン４６ｂが押下される。これにより、登録者端末３０nは、ステップＳＢ４の判断結果を「Ｙｅｓ」とする。ステップＳＢ５では、登録者情報更新画面（図示略）により電話番号が変更され、登録者情報が更新される。
【０１２４】
ステップＳＢ６では、登録者端末３０nは、更新後の登録者情報を住所録管理装置１０へ送信する。ステップＳＢ７では、住所録管理装置１０の制御部１１は、更新後の登録者情報を登録者情報データベース１４（図２参照）に上書きし、登録者情報データベース１４を更新する。これにより、当該登録者情報とリンクが設定されている他の住所録情報は、自動更新される。
【０１２５】
また、住所録一覧４６ａ（住所録情報１５4）に新たな住所録構成者に関するレコードを追加する場合には、住所録追加ボタン４６ｃが押下される。これにより、登録者端末３０nは、ステップＳＢ８の判断結果を「Ｙｅｓ」とする。ステップＳＢ９では、住所録追加画面（図示略）によりレコード情報（氏名、ニックネーム、住所等）が入力される。
【０１２６】
ステップＳＢ１０では、登録者端末３０nは、ステップＳＢ９で入力されたレコード情報を住所録管理装置１０へ送信する。図８に示したステップＳＢ１１では、住所録管理装置１０の制御部１１は、レコード情報を住所録情報１５4（図３参照）に追加する。
【０１２７】
ステップＳＢ１２では、制御部１１は、検索処理を実行する。すなわち、制御部１１は、住所録情報１５4に追加されたレコードに対応する住所録構成者を検索キーとして、登録者情報データベース１４（図２参照）を検索する。
【０１２８】
以後、前述したステップＳＡ４〜ステップＳＡ１４（図６参照）と同様にして、上記住所録構成者に関して、ステップＳＢ１３〜ステップＳＢ２３の処理が実行され、リンクが設定される。
【０１２９】
さて、一実施例においては、図１に示した住所録管理装置１０に、登録者情報データベース１４および住所録情報データベース１５に登録者情報および住所録情報を保有する基本機能、登録者情報データベース１４および住所録情報データベース１５へのアクセス制御を行うアクセス制御機能、リンク設定により住所録を自動更新する自動更新機能等を持たせる構成例について説明したが、変形例１として、図１６に示したように、基本機能を備えた住所録データベース装置５０と、アクセス制御機能および自動更新機能を備えた住所録管理装置６０とを別設する構成としてもよい。
【０１３０】
図１６において、図１の各部に対応する部分には同一の符号を付ける。同図においては、図１に示した住所録管理装置１０に代えて、住所録データベース装置５０、住所録管理装置６０およびＬＡＮ（Local Area Network）６５が設けられている。
【０１３１】
住所録データベース装置５０は、上述した基本機能を備えており、制御部５１、記憶部５２、通信部５３、登録者情報データベース５４および住所録情報データベース５５から構成されている。登録者情報データベース５４および住所録情報データベース５５は、登録者情報データベース１４（図２参照）および住所録情報データベース１５（図３参照）と同一構成とされている。
【０１３２】
住所録管理装置６０は、登録者端末３０1〜３０nからの要求に応じて、住所録データベース装置５０（登録者情報データベース５４および住所録情報データベース５５）に対するアクセス制御を行うアクセス制御機能と、登録者情報データベース５４および住所録情報データベース５５における自動更新機能と備えている。
【０１３３】
この住所録管理装置６０は、ＬＡＮ６５を介して、住所録データベース装置５０に接続されており、制御部６１、記憶部６２およびゲートウェイ通信部６３から構成されている。
【０１３４】
また、一実施例においては、図１６に示したように、住所録管理装置６０と住所録データベース装置５０とが１対１で対応する構成について説明したが、変形例２として、図１７に示したように、住所録管理装置７０と住所録データベース装置８０1〜８０mとを１対ｍの構成としてもよい。
【０１３５】
図１７において、図１６の各部に対応する部分には同一の符号を付ける。同図においては、図１６に示した住所録データベース装置５０、住所録管理装置６０およびＬＡＮ６５に代えて、住所録管理装置７０および複数ｍ台の住所録データベース装置８０1〜８０mが設けられている。
【０１３６】
住所録データベース装置８０1〜８０mは、別々の運営事業者により運営されており、住所録データベース装置５０（図１６参照）と同様にして、前述した基本機能を備えている。これらの住所録データベース装置８０1〜８０mは、インターネット２０に接続されている。
【０１３７】
住所録データベース装置８０1は、制御部８１1、記憶部８２1、通信部８３1、登録者情報データベース８４1および住所録情報データベース８５1から構成されている。以下同様にして、住所録データベース装置８０mは、制御部８１m、記憶部８２m、通信部８３m、登録者情報データベース８４mおよび住所録情報データベース８５mから構成されている。
【０１３８】
ここで、登録者情報データベース８４1〜８４mは、登録者情報データベース１４（図２参照）と同一構成とされている。また、住所録情報データベース８５1〜８５mは、住所録情報データベース１５（図３参照）と同一構成とされている。
【０１３９】
住所録管理装置７０は、登録者端末３０1〜３０nからの要求に応じて、住所録データベース装置８０1〜８０m（登録者情報データベース８４1〜８４mおよび住所録情報データベース８５1〜８５m）に対するアクセス制御を行うアクセス制御機能と、登録者情報データベース８４1〜８４mおよび住所録情報データベース８５1〜８５mにおける自動更新機能とを備えている。
【０１４０】
すなわち、住所録管理装置７０は、複数の登録者情報データベース８４1〜８４mおよび住所録情報データベース８５1〜８５mにまたがって、広域に検索、リンク設定を行うことにより、グローバルな自動更新を実現する。
【０１４１】
以上説明したように、一実施例によれば、新規登録者により住所録情報および登録者情報が登録者情報データベース１４および住所録情報データベース１５に登録された場合、登録者情報データベース１４を検索対象として、該住所録情報における住所録構成者が登録済みの他の登録者情報に登録者として登録されているかを検索し、新規登録者に対応する住所録情報と検索でヒットした登録者情報との間にリンクを設定し、該住所録情報を更新することとしたので、住所録情報がリンクを介して自動更新されるため、登録者の利便性を高め、住所録情報の陳腐化を防止することができる。
【０１４２】
また、一実施例によれば、新規登録者により住所録情報および登録者情報が登録者情報データベース１４および住所録情報データベース１５に登録された場合、住所録情報データベース１５を検索対象として、該新規登録者が登録済みの他の住所録情報における住所録構成者として登録されているかを検索し、新規登録者に対応する登録者情報と検索でヒットした住所録情報との間にリンクを設定し、該住所録情報を更新することとしたので、住所録情報がリンクを介して自動更新されるため、登録者の利便性を高め、住所録情報の陳腐化を防止することができる。
【０１４３】
また、一実施例によれば、登録者からの要求に従って、該登録者に対応する住所録情報およびリンク先の登録者情報に基づいて、図１５に示した住所録一覧画面４６を提示することとしたので、リンクを介して自動更新された最新の住所録情報を登録者に提示することができる。
【０１４４】
また、一実施例によれば、図１５に示した住所録一覧画面４６においてリンクが設定されている情報を識別表示（リンクマークＬ、色分け表示、点滅表示等）することとしたので、登録者にリンク（自動更新）の有無を報知することができる。
【０１４５】
また、一実施例によれば、図７を参照して説明したように、登録者からの要求（ステップＳＢ４）に従って、該登録者に対応する登録者情報を更新（ステップＳＢ５）することとしたので、該登録者情報とリンクされている住所録情報が自動更新され、登録者の利便性を高め、住所録情報の陳腐化を防止することができる。
【０１４６】
また、一実施例によれば、図７および図８を参照して説明したように、登録者からの更新要求（ステップＳＢ８）に従って、該登録者に対応する住所録情報に新規のレコード情報を追加し、レコード情報における住所録構成者が登録済みの他の登録者情報に登録者として登録されているかを検索し、レコード情報が追加された住所録情報と検索でヒットした登録者情報との間にリンクを設定し、該住所録情報を更新することとしたので、新規のレコード情報が追加された住所録情報がリンクを介して自動更新されるため、登録者の利便性を高め、住所録情報の陳腐化を防止することができる。
【０１４７】
また、一実施例によれば、図６（ステップＳＡ６〜ステップＳＡ１４）および図８（ステップＳＢ１５〜ステップＳＢ２２）を参照して説明したように、リンクの当事者（登録者、リンク先の登録者）に対してリンクの事前承認を得ることとしたので、無断リンク等によるトラブルを防止することができ、登録者へのサービスの質を向上させることができる。
【０１４８】
また、一実施例によれば、図１６に示したように、登録者情報データベース５４および住所録情報データベース５５を、住所録管理装置６０に対して別設された住所録データベース装置５０に設けることとしたので、既存のデータベース装置５０を有効活用した上で、住所録情報の更新に関して登録者の利便性を高め、住所録情報の陳腐化を防止することができる。
【０１４９】
また、一実施例によれば、図１７に示したように、登録者情報データベース８４1〜８４m、住所録情報データベース８５1〜８５mを、住所録管理装置７０に対して別設された複数のデータベース装置８０1〜８０mに設けることとしたので、既存の複数のデータベース装置８０1〜８０mを有効活用した上で、住所録情報の更新に関して登録者の利便性を高め、住所録情報の陳腐化を防止することができる。
【０１５０】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１５１】
例えば、前述した一実施例においては、変形例３として、住所録管理装置１０（図１参照）、住所録管理装置６０（図１６参照）または住所録管理装置７０（図１７参照）の機能を実現するためのプログラムを図１８に示したコンピュータ読み取り可能な記録媒体２００に記録して、この記録媒体２００に記録されたプログラムを同図に示したコンピュータ１００に読み込ませ、実行することにより各機能を実現してもよい。
【０１５２】
同図に示したコンピュータ１００は、上記プログラムを実行するＣＰＵ（Central Processing Unit）１１０と、キーボード、マウス等の入力装置１２０と、各種データを記憶するＲＯＭ（Read Only Memory）１３０と、演算パラメータ等を記憶するＲＡＭ（Random Access Memory）１４０と、記録媒体２００からプログラムを読み取る読取装置１５０と、ディスプレイ、プリンタ等の出力装置１６０とから構成されている。
【０１５３】
ＣＰＵ１１０は、読取装置１５０を経由して記録媒体２００に記録されているプログラムを読み込んだ後、プログラムを実行することにより、前述した機能を実現する。なお、記録媒体２００としては、光ディスク、フレキシブルディスク、ハードディスク等が挙げられる。
【産業上の利用可能性】
【０１５４】
以上のように、本発明にかかる住所録管理プログラム、住所録管理方法および住所録管理装置は、住所録の管理に有用であり、特に、住所録の自動更新に適している。
【図面の簡単な説明】
【０１５５】
【図１】本発明にかかる一実施例の構成を示すブロック図である。
【図２】図１に示した登録者情報データベース１４のテーブル構造を示す図である。
【図３】図１に示した住所録情報データベース１５のテーブル構造を示す図である。
【図４】同一実施例の動作原理を説明する図である。
【図５】同一実施例の動作原理を説明する図である。
【図６】同一実施例における新規登録処理を説明する図である。
【図７】同一実施例における更新処理を説明する図である。
【図８】同一実施例における更新処理を説明する図である。
【図９】同一実施例における登録者問合せメール４０を示す図である。
【図１０】同一実施例における登録者返信メール４１を示す図である。
【図１１】同一実施例におけるリンク先問合せメール４２を示す図である。
【図１２】同一実施例におけるリンク先問合せメール４３を示す図である。
【図１３】同一実施例におけるリンク先返信メール４４を示す図である。
【図１４】同一実施例におけるリンク先返信メール４５を示す図である。
【図１５】同一実施例における住所録一覧画面４６を示す図である。
【図１６】同一実施例の変形例１の構成を示すブロック図である。
【図１７】同一実施例の変形例２の構成を示すブロック図である。
【図１８】同一実施例の変形例３の構成を示すブロック図である。
【符号の説明】
【０１５６】
１０  住所録管理装置
１１  制御部
１２  記憶部
１４  登録者情報データベース
１５  住所録情報データベース
３０1〜３０n  登録者端末
５０  住所録データベース装置
６０  住所録管理装置
７０  住所録管理装置
８０1〜８０m  住所録データベース装置
【図１】
2005107949.tif 000003
【図２】
2005107949.tif 000004
【図３】
2005107949.tif 000005
【図４】
2005107949.tif 000006
【図５】
2005107949.tif 000007
【図６】
2005107949.tif 000008
【図７】
2005107949.tif 000009
【図８】
2005107949.tif 000010
【図９】
2005107949.tif 000011
【図１０】
2005107949.tif 000012
【図１１】
2005107949.tif 000013
【図１２】
2005107949.tif 000014
【図１３】
2005107949.tif 000015
【図１４】
2005107949.tif 000016
【図１５】
2005107949.tif 000017
【図１６】
2005107949.tif 000018
【図１７】
2005107949.tif 000019
【図１８】
2005107949.tif 000020